【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
無線通信システムの一部であって：
他の1つ以上の局との局間通信を選択的に行い得る第１局を含み、
前記第１局が送信電力を制御することが可能であって、
前記第１局が、前記の他の1つ以上の局との局間通信の第１フレームを、前記の他の1つ以上の局による前記第１フレームの正確な受信とハイブリッド・コーディネーション機能コントローラによる少なくとも前記第１フレームの検知の両方に十分な電力レベルで送信し、及び前記局間通信の後続フレームを前記の他の1つ以上の局による前記後続フレームの正確な受信に単に十分なだけの電力レベルで、前記ハイブリッド・コーディネーション機能コントローラによる前記後続フレームの受信又は検知に拘らず、送信するよう形成されることを特徴とする無線通信システムの一部。
【請求項２】
請求項１記載の無線通信システムの一部であって：
前記第１局が、前記局間通信の前記第１フレームと前記後続フレームに続く1つ以上のフレームを、前記の他の1つ以上の局と前記ハイブリッド・コーディネーション機能コントローラの両方による前記の１つ以上のフレームの正確な受信に十分な電力レベルで選択的に送信するよう形成され、及び
前記の他の1つ以上の局が、前記ハイブリッド・コーディネーション・コントローラによって正確に受信されなければならない選択フレームを、前記ハイブリッド・コーディネーション機能コントローラと前記局間通信に関係する他局による前記選択フレームの正確な受信に十分な電力レベルで選択的に送信するよう形成されることを特徴とする無線通信システムの一部。
【請求項３】
請求項２記載の無線通信システムの一部であって、前記の1つ以上のフレームが：
トラフィック区分待ち行列サイズを変更するフレーム、
前記局間通信の期間の変更を要求するフレーム、
追加の局間通信を要求するフレーム、及び
前記局間通信中の最終フレームを含む群から選択されることを特徴とする無線通信システムの一部。
【請求項４】
請求項１記載の無線通信システムの一部であって、前記第1局は、局間通信に前記ハイブリッド・コーディネーション機能コントローラが、前記第１フレームと前記後続フレームを伝送するチャネル上の活動が前記局間通信中に検知し得ないことを理由に、前記チャネルを取り戻すことを抑制される間に動作し得ることを特徴とする無線通信システムの一部。
【請求項５】
請求項１記載の無線通信システムの一部であって、前記第１局が、前記局間通信中に通信の不具合からの復旧に着手し得る唯一の局であるように形成されることを特徴とする無線通信システムの一部。
【請求項６】
請求項１記載の無線通信システムの一部であって、前記第１局が前記後続フレームを前記の他の1つ以上の局による前記後続フレームの正確な受信に単に十分なだけのデータ通信速度で、前記ハイブリッド・コーディネーション機能コントローラによる前記後続フレームの受信又は検知に拘らず、送信するよう形成されることを特徴とする無線通信システムの一部。
【請求項７】
請求項１記載の無線通信システムの一部であって、前記後続フレームを送信する前記電力レベルが第１フレームを送信する前記電力レベルよりも低いことを特徴とする無線通信システムの一部。
【請求項８】
無線通信システムであって：
ハイブリッド・コーディネーション機能コントローラ、及び
選択的に局間通信を行い得る可能な局、選択的に局間通信を行い得る局、少なくとも送信電力を制御する１つの第１局を含み、
前記第１局が他の１つ以上の局との局間通信の第１フレームを前記の他の1つ以上の局による前記第１フレームの正確な受信と前記ハイブリッド・コーディネーション機能コントローラによる少なくとも前記第１フレームの検知の両方に十分な電力レベルで送信し、及び前記局間通信の後続フレームを前記の他の1つ以上の局による前記後続フレームの正確な受信に単に十分なだけの電力レベルで、前記ハイブリッド・コーディネーション機能コントローラによる前記後続フレームの受信又は検知に拘らず、送信するよう形成されることを特徴とする無線通信システム。
【請求項９】
請求項８記載の無線通信システムであって：
前記第１局が前記局間通信の前記第１フレームと前記後続フレームの後に来る1つ以上のフレームを前記の他の1つ以上の局と前記ハイブリッド・コーディネーション機能コントローラの両方による前記１つ以上のフレームの正確な受信に十分な電力レベルで選択的に送信するよう形成され、及び
前記の他の1つ以上の局が前記ハイブリッド・コーディネーション機能コントローラによって正確に受信されなければならない選択フレームを前記ハイブリッド・コーディネーション機能コントローラと前記局間通信に関係する他局による前記の1つ以上のフレームの正確な受信に十分な電力レベルで選択的に送信するよう形成されることを特徴とする無線通信システム。
【請求項１０】
請求項９記載の無線通信システムであって、前記の1つ以上のフレームが：
トラフィック区分待ち行列サイズを変更するフレーム、
前記局間通信の期間の変更を要求するフレーム、
追加の局間通信を要求するフレーム、
及び前記局間通信中の最終フレームを含む群から選択されることを特徴とする無線通信システム。
【請求項１１】
請求項８記載の無線通信システムであって、前記第1局は、局間通信に前記ハイブリッド・コーディネーション機能コントローラが、前記第１フレーム乃至前記後続フレームを伝送するチャネル上の活動が前記局間通信中に検知し得ないことを理由に、前記チャネルを取り戻すことを抑制される間に動作し得ることを特徴とする無線通信システム。
【請求項１２】
請求項８記載の無線通信システムであって、前記第１局が前記局間通信中の通信の不具合からの復旧に着手し得る唯一の局であるように形成されることを特徴とする無線通信システム。
【請求項１３】
請求項８記載の無線通信システムであって、前記第１局が前記後続フレームを前記の他の1つ以上の局による前記後続フレームの正確な受信に単に十分なだけのデータ通信速度で、前記ハイブリッド・コーディネーション機能コントローラによる前記後続フレームの受信又は検知に拘らず、送信するよう形成されることを特徴とする無線通信システム。
【請求項１４】
請求項８記載の無線通信システムであって：
前記後続フレームを送信する前記電力レベルが前記第１フレームを送信する前記電力レベルよりも低いことを特徴とする無線通信システム。
【請求項１５】
無線通信方法であって：
第1局から他の１つ以上の局への局間通信の第１フレームを、前記の他の1つ以上の局による前記第１フレームの正確な受信とハイブリッド・コーディネーション機能コントローラによる少なくとも前記第１フレームの検知の両方に十分な前記第１電力レベルで送信し、及び
前記局間通信の後続フレームを、他の1つ以上の局による前記後続フレームの正確な受信に単に十分なだけの第2電力レベルで、前記ハイブリッド・コーディネーション機能コントローラによる前記後続フレームの受信又は検知に拘らず、送信することを含み、
前記第２電力レベルが前記第１電力レベルよりも低いことを特徴とする無線通信方法。
【請求項１６】
請求項１５記載の方法であって、更に：
前記局間通信の前記第１フレームと前記後続フレームに続く1つ以上のフレームを、前記の他の1つ以上の局と前記ハイブリッド・コーディネーション機能コントローラの両方による前記の１つ以上のフレームの正確な受信に十分な第３電力レベルで送信し、及び
前記の他の1つ以上の局の１つから、前記ハイブリッド・コーディネーション機能コントローラによって正確に受信されなければならない前記第１局による送信フレームに対する1つ以上の応答フレームを、前記送信ハイブリッド・コーディネーション機能コントローラと前記第１局による前記の1つ以上の応答フレームの正確な受信に十分な電力レベルで送信することを特徴とする方法。
【請求項１７】
請求項１６記載の方法であって、前記の1つ以上のフレームが：
トラフィック区分待ち行列サイズを変更するフレーム、
前記局間通信の期間の変更を要求するフレーム、
追加の局間通信を要求するフレーム、
及び前記局間通信の最終フレームを含む群から選択されることを特徴とする方法。
【請求項１８】
請求項１５記載の方法であって、更に：
前記局間通信中に前記第１フレームと前記後続フレームの送信チャネルを取り戻すことから当該チャネル上の活動を検知し得ないことを理由に前記ハイブリッド・コーディネーション機能コントローラを抑制することを含むことを特徴とする方法。
【請求項１９】
請求項１５記載の方法であって、前記第１局が前記局間通信中に通信の不具合からの復旧に着手し得る唯一の局であることを特徴とする方法。
【請求項２０】
請求項１５記載の方法であって、更に：
前記後続フレームを前記の他の1つ以上の局による前記後続フレームの正確な受信に単に十分なだけのデータ通信速度で、前記ハイブリッド・コーディネーション機能コントローラによる前記後続フレームの受信又は検知に拘らず、送信することを含むことを特徴とする方法。
【請求項２１】
局間通信であって：
第１局から他の１つ以上の局への第１フレームであって、前記の他の1つ以上の局による前記第１フレームの正確な受信とハイブリッド・コーディネーション機能コントローラによる少なくとも前記第１フレームの検知の両方に十分な第１電力レベルにある第１フレーム、及び
前記第１フレームに続く後続フレームであって、前記ハイブリッド・コーディネーション機能コントローラによる前記後続フレームの受信又は検知に拘らず、前記の他の1つ以上の局による正確な受信に単に十分なだけの第２電力レベルにある第２フレームを含み、
前記第２電力レベルが前記第１電力レベルよりも低いことを特徴とする局間通信。